(57)【要約】【課題】使用者への報知を行いつつ、識別信号を検出して起動した直後の消費電力を低減できる放送受信装置を提供する。【解決手段】この放送受信装置１は、第１の処理系統７に給電する第１の電源部３と、第２の処理系統１１に給電する第２の電源部９と、第３の処理系統１７に給電する第３の電源部１５とを備えており、第１の処理系統７が識別信号を検出した場合に、第２の電源部９がオンされて第２の処理系統１１が起動されて音声出力が行われ、更に操作入力手段（ここではリモコン受信部７ｃ）への操作入力が有った場合に、第３の電源部１５がオンされて第３の処理系統１７が起動されて映像表示が行われるので、即ち、識別信号を検出して起動した直後は消費電力の少ない音声出力のみ行い、その後、操作入力手段７ｃへの操作入力に応じて消費電力の大きい映像表示を行う。【選択図】図１
2008017076.tif 000002
【特許請求の範囲】
【請求項１】
電源を常時供給する第１電源部と、
前記第１の電源部からの給電を受けて常時作動し、受信信号中から、選局されているチャンネルの帯域信号の抽出および識別信号の検出を行い、前記識別信号を検出した場合に特定のチャンネルを選局してそのチャネルの帯域信号を抽出する第１の処理系統と、
前記第１の処理系統が識別信号を検出した場合に、その給電がオンされる第２の電源部と、
前記第１の処理系統が識別信号を検出した場合に、前記第２の電源部からの給電を受けて起動して、前記第１の処理系統で抽出された前記特定のチャンネルの帯域信号に含まれる音声信号を音声出力する第２の処理系統と、
操作入力を受け付ける操作入力手段と、
前記第１の処理系統が識別信号を検出した場合で、更に前記操作入力手段への操作入力が有った場合に、その給電がオンにされる第３の電源部と、
前記第１の処理系統が識別信号を検出した場合で、更に前記操作入力手段への操作入力が有った場合に、前記第３の電源部からの給電を受けて起動して、前記第１の処理系統で抽出された前記特定のチャンネルの帯域信号に含まれる映像信号を映像表示する第３の処理系統と、
を備えることを特徴とする放送受信装置。
【請求項２】
設定選択スイッチを更に備え、
前記設定選択スイッチでの設定の選択に応じて、前記第２の電源部の給電のオンと共に前記第３の電源部の給電がオンされ、これにより前記第２の処理系統による前記特定のチャンネルの音声信号の音声出力と共に前記第３の処理系統による前記特定のチャンネルの映像信号の映像表示が行われることを特徴とする請求項１に記載の放送受信装置。
【請求項３】
前記第２の処理系統は、前記特定のチャンネルの音声信号を音声出力する際の音量設定値が所定値未満の場合は、その音量設定値を前記所定値に置き換えて、前記特定のチャンネルの信号中の音声信号を音声出力することを特徴とする請求項１または請求項２に記載の放送受信装置。
【発明の詳細な説明】
【技術分野】
【０００１】
本発明は、緊急警報放送受信機能を備えたテレビ等の放送受信装置に関する。
【背景技術】
【０００２】
従来の緊急警報放送受信機能を備えた放送受信装置では、その受信復調部が、常に放送局からの放送波を受信し続け、その放送波中に、放送局が緊急警報放送を実施する場合のみ送出する識別信号が含まれているか否かを監視する。
【０００３】
そして緊急警報放送が実施されて、放送受信装置が放送波中から識別信号を検出した場合に、放送受信装置が視聴状態でなく電源オフの状態（スタンバイ状態）にある場合は、放送受信装置は、そのデコード部、音声出力部および映像表示部の電源を自動的に起動して緊急警報放送を提示して、使用者に緊急警報を報知する。
【０００４】
この様な放送受信装置に関連する先行技術として特許文献１に記載されたものがある。
【０００５】
【特許文献１】特開２００５−５１５０１号公報
【発明の開示】
【発明が解決しようとする課題】
【０００６】
従来の放送受信装置では、緊急警報放送によって自動起動することで、深夜などでも緊急警報を報知できる反面、留守時の様に緊急警報の報知の必要のない場合でも起動するため、電力が無駄消費されるという欠点があった。
【０００７】
そしてこの欠点により、或る地域に緊急警報放送が実施された場合に、留守宅など報知の必要がない放送受信装置までが一斉に起動して映像・音声を出力することとなって当該地域の電力が無駄消費され、特に緊急警報放送の開始直後（即ち識別信号を検出して起動した直後）は、当該地域の電力安定供給に影響を与える可能性があるという欠点を招く。
【０００８】
そこで、この発明の課題は、使用者への報知を行いつつ、識別信号を検出して起動した直後の消費電力を低減できる放送受信装置を提供することにある。
【課題を解決するための手段】
【０００９】
上記課題を解決する為に、請求項１に記載の発明は、電源を常時供給する第１電源部と、前記第１の電源部からの給電を受けて常時作動し、受信信号中から、選局されているチャンネルの帯域信号の抽出および識別信号の検出を行い、前記識別信号を検出した場合に特定のチャンネルを選局してそのチャネルの帯域信号を抽出する第１の処理系統と、前記第１の処理系統が識別信号を検出した場合に、その給電がオンされる第２の電源部と、前記第１の処理系統が識別信号を検出した場合に、前記第２の電源部からの給電を受けて起動して、前記第１の処理系統で抽出された前記特定のチャンネルの帯域信号に含まれる音声信号を音声出力する第２の処理系統と、操作入力を受け付ける操作入力手段と、前記第１の処理系統が識別信号を検出した場合で、更に前記操作入力手段への操作入力が有った場合に、その給電がオンにされる第３の電源部と、前記第１の処理系統が識別信号を検出した場合で、更に前記操作入力手段への操作入力が有った場合に、前記第３の電源部からの給電を受けて起動して、前記第１の処理系統で抽出された前記特定のチャンネルの帯域信号に含まれる映像信号を映像表示する第３の処理系統と、を備えるものである。
【発明の効果】
【００１０】
請求項１に記載の発明によれば、第１の処理系統に給電する第１の電源部と、第２の処理系統に給電する第２の電源部と、第３の処理系統に給電する第３の電源部とを備えており、第１の処理系統が識別信号を検出した場合に、第２の電源部がオンされて第２の処理系統が起動されて音声出力が行われ、更に操作入力手段への操作入力が有った場合に、第３の電源部がオンされて第３の処理系統が起動されて映像表示が行われるので、即ち、識別信号を検出して起動した直後は消費電力の少ない音声出力のみ行い、その後、操作入力手段への操作入力に応じて消費電力の大きい映像表示を行うので、使用者への報知を行いつつ、識別信号を検出して起動した直後の消費電力を低減できる。
【発明を実施するための最良の形態】
【００１１】
実施の形態１．
この実施の形態に係る放送受信装置１は、図１の様に、電源を常時供給する第１の電源部３と、第１の電源部３からの給電を受けて常時作動し、アンテナ５で受信された受信信号中から、選局されているチャンネルの帯域信号の抽出および緊急警報放送識別信号（以後、識別信号と呼ぶ）の検出を行い、前記識別信号を検出した場合に特定のチャンネル（当該緊急警報放送を行っているチャンネル）を選局してそのチャネルの帯域信号を抽出する第１の処理系統７と、第１の処理系統７が識別信号を検出した場合に、その給電がオンにされる第２の電源部９と、第１の処理系統７が識別信号を検出した場合に、第２の電源部９からの給電を受けて起動して、第１の処理系統７で抽出された特定のチャンネルの帯域信号に含まれる音声信号を音声出力する第２の処理系統１１と、操作入力を受け付ける操作入力手段（ここではリモコン受信部）７ｃと、第１の処理系統７が識別信号を検出した場合で、更にリモコン受信部７ｃへの操作入力が有った場合に、その給電がオンにされる第３の電源部１５と、第１の処理系統７が識別信号を検出した場合で、更にリモコン受信部７ｃへの操作入力が有った場合に、第３の電源部１５からの給電を受けて起動して、第１の処理系統７で抽出された特定のチャンネルの帯域信号に含まれる映像信号を映像表示する第３の処理系統１７とを備える。以下、これらの構成要素について詳説する。
【００１２】
第１の処理系統７は、受信復調部７ａと、副制御部７ｂと、上記のモコン受信部７ｃとから構成されている。受信復調部７ａ、副制御部７ｂおよびモコン受信部７ｃは、第１の電源部３からの給電を受けて常時作動している。
【００１３】
受信復調部７ａは、アンテナ５で受信された受信信号（放送波）中から、選局されているチャンネルの帯域信号の抽出および識別信号の検出を行うと共に、抽出した帯域信号を復調して第２の処理系統１１に出力する。
【００１４】
副制御部７ｂは、第２の処理系統１１および第３の処理系統１７の起動／停止を制御する。より詳細には、副制御部７ｂは、受信復調部７ａが識別信号を検出しない場合（即ち通常動作の場合）は、リモコン受信部７ｃからの指示に応じて、第２の電源部９をオン／オフして第２の処理系統１１の起動／停止を制御すると共に、その第２の処理系統１１の起動／停止に同期する様にして、第２の処理系統１１を介して第３の電源部１５をオン／オフして第３の処理系統１７の起動／停止を制御する。
【００１５】
また副制御部７ｂは、受信復調部７ａが識別信号を検出した場合（即ち緊急警報放送の場合）は、その識別信号の検出の開始／終了を契機として自動的に、第２の電源部９をオン／オフして第２の処理系統１１の起動／停止を制御する。そして副制御部７ｂは、第３の処理系統１７を起動させる場合は、第２の処理系統１１の起動後に更にリモコン受信部７ｃへの操作入力（例えば任意の操作入力）が有った場合に、第２の処理系統１１を介して第３の電源部１５をオンにして第３の処理系統１７を起動させ、他方、第３の処理系統１７を停止させる場合は、通常動作の場合と同様に、第２の処理系統１１の停止に同期する様にして、第２の処理系統１１を介して第３の電源部１５をオフにして第３の処理系統１７を停止させる。
【００１６】
第２の処理系統１１は、デコード部１１ａと、音声出力部１１ｂと、それらを制御する主制御部１１ｃとから構成されている。デコード部１１ａ、音声出力部１１ｂおよび主制御部１１ｃは、第２の電源部９からの給電を受けて作動し、第２の電源部９のオン／オフに応じて、それらの起動／停止が制御される。
【００１７】
デコード部１１ａは、受信復調部７ａで抽出された帯域信号を、例えば映像信号・音声信号・データ放送信号などの各メディア毎に分離して復号処理する。
【００１８】
音声出力部１１ｂは、デコード部１１ａで複号された音声信号を増幅し、音量設定値に基づき音量調整した上で音声出力する。
【００１９】
主制御部１１ｃは、受信復調部７ａでの選局の制御、第３の処理系統１７の起動／停止の制御および音声出力部１１ｂの音声設定値の制御を行う。
【００２０】
より詳細には、受信復調部７ａでの選局の制御については、主制御部１１ｃは、受信復調部７ａが識別信号を検出しない場合（即ち通常動作の場合）は、副制御部１１ｂを介して受け取るリモコン受信部７ｃからの指示に応じて、副制御部７ｂを介して受信復調部７ａに対し、リモコン受信部７ｃからの指示で指定されたチャンネルを選局させ、他方、受信復調部７ａが識別信号を検出した場合（即ち緊急警報放送の場合）は、副制御部７ｂからの通知（識別信号を検出した事の通知）を受け取ると自動的に、副制御部７ｂを介して受信復調部７ａに対し、特定のチャンネル（当該緊急警報放送が行われているチャンネル）を選局させる。
【００２１】
また、第３の処理系統１７の起動／停止の制御については、主制御部１１ｃは、通常動作の場合は、副制御部７ｂを介して受け取るリモコン受信部７ｃからの指示に応じて、第３の電源部１５をオン／オフして第３の処理系統１７の起動／停止を制御し、他方、緊急警報放送の場合は、副制御部７ｂを介してリモコン受信部７ｃから操作入力（例えば任意の操作入力）の信号を受け取ると、第３の電源部１５をオンにして第３の処理系統１７を起動させ、副制御部７ｂからの通知（識別信号の検出の終了の通知）を受けると、第３の電源部１５をオフにして第３の処理系統１７を停止させる。
【００２２】
また、音声出力部１１ｂの音声設定値の制御については、ここでは、通常動作の場合も緊急警報放送の場合も、主制御部１１ｃは、幅制御部７ｂを介して受け取るリモコン受信部７ｃからの指示に応じて、音声出力部１１の音声設定値を調整する。
【００２３】
第３の処理系統１７は、映像表示部１７ａにより構成されている。
【００２４】
映像表示部１７ａは、デコード部１１ａによって復号された映像信号およびデータ放送信号を映像として表示出力する。この映像表示部１７ａは、例えばブラウン管、液晶ディスプレイ、プラズマディスプレイ等の表示装置として構成されている。
【００２５】
尚、映像表示部１７ａは、放送受信装置１の中では最も電力を多く消費する部分である。それは、ブラウン管、プラズマディスプレイは言うまでもなく、液晶ディスプレイについてもバックライトを点灯するため、表示方式に依らず同様のことが言える。
【００２６】
次に図２に基づき、この放送受信装置１の動作（音声出力および映像表示してない状態（以後、電源オフの状態と呼ぶ。）で緊急警報放送を受信した場合の動作）の概略を説明する。尚、図２は、放送受信装置１が電源オフの状態で緊急警報放送を受信した場合の電源状態の変化、映像表示・音声出力の状態および消費電力の変化を時系列で示した図である。
【００２７】
まず放送受信装置１が電源オフの状態（即ち使用者に視聴されていない状態）では、第１の電源部３のみがオンになっており、第２の電源部９および第３の電源部１５はオフになっている。これにより、第１の処理系統７のみが第１の電源部３からの電源供給を受けて作動しており、第２の処理系統１１および第３の処理系統１７は停止している。この状態では、受信復調部７ａが、アンテナ５からの受信信号中から、選局されているチャンネルの帯域信号の抽出および識別信号の検出を行っており、副制御部７ｂが、リモコン受信部７ｃからの起動信号の有無や受信復調部７ａによる識別信号の検出の有無を常に監視している。
【００２８】
そして放送局から識別信号を含む緊急警報放送が発信されると、受信復調部７ａが、アンテナ５からの受信信号中から前記識別信号を検出する。そして副制御部７ｂが、その検出を契機として第２の電源部９をオンにして第２の処理系統７を起動させると共に、その検出した事を主制御部１１ｃに通知する。そして、その通知を受けた主制御部１１ｃが、副制御部７ｂを介して受信制御部７ａに対し、特定のチャンネル（当該緊急警報放送が行われている）を選局させる。これにより、受信復調部７ａで特定のチャンネルの帯域信号が抽出され、そのチャンネルの音声信号がデコード部１１ａおよび音声出力部１１ｂを介して音声出力される。この状態では、緊急警報放送の音声信号が音声出力部１１ｂから音声出力されるが、映像信号は、まだ映像表示部１７ａから出力されない。ここで出力される音声の放送内容としては、警告音や「○○警報が発令されました」など緊急警報放送が開始されたことが認識できる内容が想定される。
【００２９】
そしてこの放送受信装置１が普及している場合には、この緊急警報放送の開始と同時に第２の電源部９が受信地域で一斉にオンとなり、受信地域で一斉に音声出力を開始するが、放送受信装置１の電力消費の大半を占める映像表示部１７ａはまだ起動していないため、この瞬間に受信地域の電力安定供給に与える影響は大幅に軽減される。
【００３０】
そして放送受信装置１が緊急警報放送の音声信号を出力開始することにより、使用者は、緊急警報放送が開始されたことを認識し、放送受信装置１の操作（例えばリモコンによる任意の操作）を行う。
【００３１】
そしてその使用者による操作入力（任意の操作入力）があると、その操作入力の信号がリモコン受信部７ｃおよび副制御部７ｂの順に処理され、その操作入力が有った事が副制御部７ｂから主制御部８に通知される。
【００３２】
そして緊急警報放送の音声出力の最中にその通知を受けた主制御部８は、第３の電源部１１をオンにして映像表示部１７ａを起動させる。これにより、デコード部１１ａで復号された緊急警報放送の映像信号およびデータ放送信号が映像表示部２７ａで表示開始される。
【００３３】
そして緊急警報放送が終了すると、受信復調部７ａが、アンテナ５からの受信信号中から識別信号が検出されない事（即ち識別信号の停止）を検出する。そしてその検出を契機として、副制御部７ｂが、主制御部１１ｃを介して第３の電源部１５をオフにして映像表示部１７ａによる映像信号およびデータ放送信号の表示を停止させると共に、第２の電源部９をオフにして第１の処理系統７を停止させて音声出力部１１ｂによる音声出力を停止させる（即ち元の電源オフの状態に戻す）。
【００３４】
次に図３に基づき、上記の放送受信装置１の動作のうち、副制御部７ｂの動作について詳説する。
【００３５】
副制御部７ｂは、第１の電源部３から電源供給を受けて常に動作している。そして副制御部７ｂは、ステップＳ１０２で、受信復調部７ａが識別信号を検出したか否かを常に監視している。そして副制御部７ｂは、受信復調部７ａが識別信号を検出していない場合は、ステップＳ１０３に進み、通常動作を行い、他方、受信復調部７ａが識別信号を検出した場合は、ステップＳ１０４に進み、緊急警報放送の場合の動作を行う。
【００３６】
ステップＳ１０３の通常動作では、既述の通り、副制御部７ｂは、リモコン受信部７ｃから指定に応じて、第２の処理系統１１および第３の処理系統１７の起動／停止の制御、受信復調部７ａでの選局の制御および音声出力部１１ｂの音量設定値を制御する。
【００３７】
他方、ステップＳ１０４の緊急警報放送の場合の動作では、当該放送受信装置１が視聴中（即ち当該放送受信装置１が通常動作の下で映像表示および音声出力を行っている最中）であるか否かに応じて副制御部７ｂの動作は異なる。即ち、副制御部７ｂは、当該放送受信装置１が視聴中である場合はステップＳ１０５〜Ｓ１０６の動作を行い、当該放送受信装置１が視聴中でない場合（即ち電源オフの状態の場合）はステップＳ１０８〜Ｓ１１２の動作を行う。
【００３８】
そしてステップＳ１０５に進んだ場合（即ち視聴中の場合）は、副制御部７ｂは、主制御部１１ｃに対して、視聴中に識別信号の検出が開始された事（即ち緊急警報放送が開始された事）を通知する。これにより主制御部１１ｃは、受信復調部７ａでの選局の制御、第３の処理系統１７の起動／停止の制御および音声出力部１１ｂの音声設定値の制御について、既述の様に緊急警報放送の場合の動作をする。
【００３９】
そしてステップＳ１０６で、受信復調部７ａで識別信号が検出されなくなると（即ち識別信号の検出が終了すると）、ステップＳ１０７に進み、副制御部７ｂは、主制御部１１ｃに対して、その旨（識別信号の検出が終了した事、即ち緊急警報放送が終了した事）を通知する。これにより主制御部１１ｃは、受信復調部７ａでの選局の制御、第３の処理系統１７の起動／停止の制御および音声出力部１１ｂの音声設定値の制御について、通常動作を行う。そしてステップＳ１０３に進む。
【００４０】
他方ステップＳ１０４においてステップＳ１０８に進んだ場合（即ち電源オフの状態の場合）は、副制御部７ｂは、第２の電源部９をオンにして第２の処理系統１１を起動させた上で、ステップＳ１０９〜Ｓ１１１でステップＳ１０５〜Ｓ１０６と同様の動作を行い、そしてステップＳ１１２で、第２の電源部９をオフにして第２の処理系統１１を停止させて、当該放送受信装置１を元の電源オフの状態に戻してステップＳ１０３に進む。
【００４１】
次に図４に基づき、上記の放送受信装置１の動作のうち、主制御部１１ｃの動作について詳説する。
【００４２】
ステップＳ２０２で、主制御部１１ｃは、副制御部７ｂから識別信号の検出の開始の通知を受け取ったか否か（即ち受信復調部７ａで識別信号が検出されたか否か）を常に監視している。そして主制御部１１ｃは、副制御部７ｂから当該通知を受け取っていない場合は、ステップＳ２０３に進み、既述の様に通常動作を行ってステップＳ２０２に戻り、他方、副制御部７ｂから当該通知を受け取った場合は、ステップＳ２０４に進み、緊急警報放送の場合の動作を行う。
【００４３】
そしてステップＳ２０４では、当該識別信号が放送受信装置の視聴中に検出されたのか、それとも放送受信装置１の電源オフの状態のときに検出されたのかに応じて、主制御部１１ｃの動作が異なる。即ち、当該識別信号が放送受信装置１の視聴中に検出された場合は、主制御部１１ｃは、例えばステップＳ２０５〜Ｓ２０８の動作を行い、他方、当該識別信号が放送受信装置１の電源オフの状態のときに検出された場合は、主制御部１１ｃは、例えばステップＳ２０９〜Ｓ２１８の動作を行う。
【００４４】
そしてステップＳ２０５に進んだ場合は、主制御部１１ｃは、例えば、映像表示部１７ａに対し、緊急警報放送を検出したのでそのチャンネルを表示する旨のメッセージを現在表示中の映像上に表示させた後、ステップＳ２０６で、副制御部７ｂを介して受信復調部７ａに対し、特定のチャンネル（当該緊急警報放送が行われているチャンネル）を選局させる。これにより、受信復調部７ａで選局された特定のチャンネルの音声信号がデコード部１１ａおよび音声出力部１１ｂを介して音声出力されると共に、その特定のチャンネルの映像信号がデコード部１１ａおよび映像表示部１７ａを介して映像表示される。
【００４５】
そして主制御部１１ｃは、ステップＳ２０７で、副制御部７ｂから当該識別信号の検出終了の通知を受け取ると（即ち受信復調部７ａで当該識別信号が検出されなくなると）、ステップＳ２０８に進み、副制御部７ｂを介して受信復調部７ａに対し、緊急警報放送前に選局されていた元のチャンネルを選局させる。これにより、音声出力部１１ｂから元のチャンネルの音声が出力されると共に映像表示部１７ａから元のチャンネルの映像が表示される。そしてステップＳ２０２に戻る。
【００４６】
他方ステップＳ２０４においてステップＳ２０９に進んだ場合（即ち放送受信装置１の電源オフの状態のときに当該識別信号が検出された場合）は、受信復調部７ａで当該識別信号が検出されると、副制御部７ｂにより第２の電源部９がオンにされて第１の処理系統１１が起動されると共に、副制御部７ｂから主制御部１１ｃに当該識別信号が検出された事が通知される。そして主制御部１１ｃは、その通知を受け取ると、ステップＳ２０９で、副制御部７ｂを介して受信復調部７ａに対し、特定のチャンネル（当該緊急警報放送が行われているチャンネル）を選局させる。そしてステップＳ２１０で、受信復調部７ａで選局された特定のチャンネルの音声信号がデコード部１１ａおよび音声出力部１１ｂを介して音声出力され始める。
【００４７】
この時点（ステップＳ２１０）では映像表示部１７ａは作動していないため、放送受信装置１は映像は真っ暗で音声だけが出力された状態となっているが、この状態でも一般の使用者に対して緊急警報放送が開始されたことを伝えることができると考える。しかしながら、一部の聴覚障害をもつ使用者には音声のみで緊急警報放送の開始を伝えることができないことも考えられる。
【００４８】
そのためステップＳ２１１で、放送受信装置１の設定（ここでは例えばリモコン受信部（設定選択スイッチ）７ｃへの設定）により、「緊急警報放送の受信時に映像表示部１７ａを自動起動して緊急警報放送の受信後即時に（即ち音声出力と同期させて）映像表示するか（以後、この設定を聴覚障害者向けの設定と呼ぶ。）、それとも音声出力後に使用者の操作入力があった場合に映像表示部１７ａを起動して映像表示するか（以後、この設定を節電向けの設定と呼ぶ。）」が選択可能となっている。尚、節電のためには節電向けの設定を推奨するが、使用者の中に聴覚障害者が居る場合は聴覚障害者向けの設定を設定することが望ましい。尚、この視聴覚障害者向けの設定が行われた場合は、音声出力部の起動と映像表示部の起動とが同期するので、従来の放送受信装置と同様の動作となる。
【００４９】
そしてステップＳ２１１で、節電向けの設定が選択されている場合は、ステップＳ２１２に進み、他方、聴覚障害者向けの設定が選択されている場合には、ステップＳ２１４に進む。
【００５０】
そしてステップＳ２１２に進んだ場合（節電向けの設定の場合）は、主制御部１１ｃは、副制御部７ｂを介してリモコン受信部７ｃから操作入力（例えば任意の操作入力）のリモコン信号を受け取ると、ステップＳ２１４に進み、第３の電源部１５をオンにして映像表示部１７ａを起動させて、ステップＳ２１５で、受信復調部７ａで選局された特定のチャンネルの映像信号を、デコード部１１ａを介して映像表示部１７ａから映像表示させる。
【００５１】
そしてステップＳ２１６で、主制御部１１は、副制御部７ｂから識別信号の検出の終了の通知を受け取ると（即ち受信復調部７ａで識別信号が検出されなくなると）、ステップＳ２１７に進み、主制御部１１ｃは、第３の電源部１５をオフにして映像表示部１７ａを停止させる。そしてステップＳ２１８に進み、主制御部１１ｃは動作を終了する。
【００５２】
他方ステップＳ２１２で、主制御部１１ｃは、副制御部７ｂを介してリモコン受信部７ｃから操作入力（例えば任意の操作入力）のリモコン信号を受け取っていない場合は、ステップＳ２１３に進む。
【００５３】
そしてステップＳ２１３で、主制御部１１ｃは、副制御部７ｂから識別信号の検出の終了の通知を受け取っていない場合（即ち受信復調部７ａで識別信号が検出され続けている場合）は、ステップＳ２１２に戻り、他方、主制御部１１ｃは、副制御部７ｂから識別信号の検出の終了の通知を受け取った場合（即ち受信復調部７ａで識別信号が検出されなくなった場合）は、ステップＳ２１８に進み、主制御部１１ｃは動作を終了する。
【００５４】
他方ステップＳ２１１においてステップＳ２１４に進んだ場合（即ち聴覚障害者向けの設定の場合）は、映像表示部１７ａの起動を音声出力部１１ｂの起動（従って第２の電源部９の起動）に同期させるべく、主制御部１１ｃは、第２の電源部９がオンにされて自身が起動すると、その起動後即時に第３の電源部１５をオンにして映像表示部１７ａを起動させる。これにより画像表示部１７ａの起動と音声出力部１１ｂの起動とがほぼ同期する。そしてステップＳ２１５〜Ｓ２１７に進み、上記と同様の動作を行った後、ステップＳ２１８に進み、主制御部１１ｃは動作を終了する。
【００５５】
以上の様に構成された放送受信装置１によれば、第１の処理系統７に給電する第１の電源部３と、第２の処理系統１１に給電する第２の電源部９と、第３の処理系統１７に給電する第３の電源部１５とを備えており、第１の処理系統７が識別信号を検出した場合に、第２の電源部９がオンされて第２の処理系統１１が起動されて音声出力が行われ、更に操作入力手段（ここではリモコン受信部７ｃ）への操作入力が有った場合に、第３の電源部１５がオンされて第３の処理系統１７が起動されて映像表示が行われるので、即ち、識別信号を検出して起動した直後（即ち緊急警報放送の開始直後）は消費電力の少ない音声出力のみ行い、その後、操作入力手段７ｃへの操作入力に応じて消費電力の大きい映像表示を行うので、使用者への報知を行いつつ、識別信号を検出して起動した直後（即ち緊急警報放送の開始直後）の消費電力を低減できる。
【００５６】
そしてこの放送受信装置１を普及させることで、或る地域に緊急警報放送が実施された場合に、緊急警報放送の開始直後の電力消費は急には高まらず、且つ映像表示の起動のタイミングは各使用者の操作のタイミングに依存するため時間的に拡散し、これにより電力消費増大の瞬間的な集中を回避でき、当該地域の電力安定供給への影響が軽減できる。
【００５７】
また、設定選択スイッチ（ここではリモコン受信部７ｃ）での設定の選択に応じて、第２の電源部９の給電のオンと共に第３の電源部１５の給電がオンされ、これにより第２の処理系統１１による特定のチャンネルの音声信号の音声出力と共に第３の処理系統１７による特定のチャンネルの映像信号の映像表示が行われるので、即ち、設定の選択によって、音声出力と同時に映像表示も行う様にできるので、音声出力だけで報知できない例えば聴覚障害を持つ使用者に対しては、設定の選択により映像表示で速やかに報知できる。
【００５８】
実施の形態２．
この実施の形態２は、上記の実施の形態１において、音声出力部１１ｂから特定のチャンネルの音声信号を音声出力する際の音量設定値Ａが固定値（所定値）Ｃより小さい場合は、その音量設定値Ａを所定値Ｃに置き換えて、前記特定のチャンネルの音声信号を音声出力する様にしたものである。この置き換えは例えば主制御部１１ｃにより行われる。
【００５９】
図５は、この実施の形態２における主制御部１１ｃの動作を示すフローチャートであり、図４（実施の形態１）のＳ２０１〜Ｓ２０８は共通のため、記載省略している。
【００６０】
図５は、図４のフローチャートにおいて、ステップＳ２０９の次にステップＳ３０１およびＳ３０２が追加された点と、ステップＳ２１８の前にステップＳ３０３が追加された点が相違するだけで他の部分は同じである。以下、各ステップＳ３０１，Ｓ３０２，Ｓ３０３について詳説する。
【００６１】
ステップＳ３０１では、主制御部１１ｃは、音声出力部１１ｂから特定のチャンネルの音声信号を音声出力する際の音量設定値Ａが固定値Ｃより小さいか否かを判定し、その判定の結果、小さい場合（即ちＡ＜Ｃの場合）は、ステップＳ３０２に進み、その音量設定値Ａを固定値Ｃに置き換えて（即ち音量設定値Ｃとして）、ステップＳ２１０に進み、その音量設定値Ｃで、音声出力部１１ｂから当該特定のチャンネルの音声信号を音声出力させる。
【００６２】
他方、ステップＳ３０１での判定の結果、小さくない場合（即ちＡ＞Ｃの場合）は、ステップＳ２１０に進み、主制御部１１ｃは、その音量設定値Ａのままで、音声出力部１１ｂから当該特定のチャンネルの音声信号を音声出力させる。
【００６３】
またステップＳ２１３の後およびステップＳ２１７の後、主制御部１１ｃは、ステップＳ３０３で、音量設定値をＣから緊急警報放送前の固定値Ａに戻した後、ステップＳ２１８に進む。
【００６４】
この様にすれば、当該放送受信装置１が緊急警報放送の音声出力を開始する際、音量設定が極端に低い設定になっていたり、消音の状態になっていても、音声により使用者に適切に緊急警報放送（特定のチャンネル）の開始を知らせる事ができる。
【００６５】
図６は、上記の実施の形態１および実施の形態２の放送受信装置１が従来の放送受信装置と比較して地域の電力消費に与える影響を比較した説明図である。
【００６６】
図６の例の前提として、緊急警報放送により自動起動する機能を備える本願の放送受信装置１が広く普及していること、緊急警報放送の実施時刻が深夜など、視聴中の放送受信装置１の台数が少ないこと、留守宅が在る事や１軒に複数台の放送受信装置１が在る等のため緊急警報放送が開始されても使用者が視聴しない放送受信装置１が無視できない比率で存在する事などが想定されている。
【００６７】
図６において、従来の放送受信装置の場合の地域の電力消費は、破線ａで表わすように緊急警報放送の開始と同時にピークの電力消費状態に達する。緊急警報放送が終了するまでピークが継続するのが基本だが、背景技術の特許文献１に示したような、緊急警報放送の開始から一定時間使用者による操作が無かった場合に電源オフする放送受信装置が一部存在する場合は、一点鎖線ｂに示すように、一定時間後の無駄な電力消費は軽減される可能性がある。しかし、緊急警報放送の開始から一定時間は特許文献１の節電効果は全く無く、むしろ電力の安定供給の観点からは、開始時の瞬間的な電力需要の上昇の方が問題となる可能性が高い。
【００６８】
一方、本発明の放送受信装置１が普及した場合の電力消費の推移を図６に実線ｃで示す。緊急警報放送の開始直後は放送受信装置１は映像表示を行わず音声出力のみを開始するため、従来の点線（破線ａおよび一点鎖線ｂ）に比べ電力消費が大幅に抑えられる。その後は、音声によって緊急警報放送の実施を知った使用者がリモコン操作することにより各家庭で放送受信装置１の映像表示部１７ａが起動されていくので、電力の上昇のタイミングが分散され、グラフはなだらかな上昇を示す。また、留守宅その他の視聴不要の放送受信装置１は映像表示を開始されることはないため、電力消費のピークも抑えられる。
【図面の簡単な説明】
【００６９】
【図１】実施の形態１に係る放送受信装置の構成概略図である。
【図２】実施の形態１の放送受信装置が、電源オフの状態で緊急警報放送を受信した場合の電源状態の変化と映像表示および音声出力の状態を時系列で示した説明図である。
【図３】実施の形態１の副制御部の動作を説明する図である。
【図４】実施の形態１の主制御部の動作を説明する図である。
【図５】実施の形態２の主制御部の動作を説明する図である。
【図６】実施の形態１および実施の形態２の放送受信装置と従来の放送受信装置との地域の電力消費に与える影響を比較した図である。
【符号の説明】
【００７０】
１  放送受信装置、３  第１の電源部、５  アンテナ、７  第１の処理系統、７ａ  操作入力手段（リモコン受信部）、７ｂ  副制御部、７ｃ  リモコン受信部、９  第２の電源部、１１  第２の処理系統、１１ａ  デコード部、１１ｂ  音声出力部、１１ｃ  主制御部、１５  第３の電源部、１７  第３の処理系統、１７ａ  映像表示部。
【図１】
2008017076.tif 000003
【図２】
2008017076.tif 000004
【図３】
2008017076.tif 000005
【図４】
2008017076.tif 000006
【図５】
2008017076.tif 000007
【図６】
2008017076.tif 000008